(57)【要約】      （修正有）【課題】第１の竹・木複合床板と第２の竹・木複合床板とを互いに接合する竹・木複合床板の接続構造を提供する。【解決手段】当該竹・木複合床板の接続構造は、少なくとも、第１の竹・木複合床板１０に設けられた第１の傾き端部１１と、第２の竹・木複合床板２０に設けられ且つ第１の傾き端部１１と係合する第２の傾き端部２１とを含み、第１の傾き端部１１には奥に凹む第１の凹部１１１と外に突出する第１の凸部１１２とが設けられ、第２の傾き端部２１には第１の凹部１１１と係合する第２の凸部２１１及び第１の凸部１１２と係合する第２の凹部２１２が設けられている。本考案の竹・木複合床板の接続構造及び組立て板によれば、接合が確実で外観が綺麗になる。【選択図】図１
0003216730.tif 000002
【実用新案登録請求の範囲】
【請求項１】
第１の竹・木複合床板（１０）と第２の竹・木複合床板（２０）とが互いに接合された竹・木複合床板の接続構造であって、
少なくとも、前記第１の竹・木複合床板（１０）に設けられた第１の傾き端部（１１）と、前記第２の竹・木複合床板（２０）に設けられ且つ前記第１の傾き端部（１１）と係合する前記第２の傾き端部（２１）とを含み、
前記第１の傾き端部（１１）には奥に凹む第１の凹部（１１１）と外に突出する第１の凸部（１１２）とが設けられており、前記第２の傾き端部（２１）には前記第１の凹部（１１１）と係合する第２の凸部（２１１）及び前記第１の凸部（１１２）と係合する第２の凹部（２１２）が設けられていることを特徴とする竹・木複合床板の接続構造。
【請求項２】
前記第１の凹部（１１１）は、第１の接続端面（１１１１）、及びそれぞれ前記第１の接続端面（１１１１）の両側に設けられている第１の凹部係合端面（１１１２）と第２の凹部係合端面、を備え、
前記第１の凸部（１１２）は、第２の接続端面（１１２１）、及びそれぞれ前記第２の接続端面（１１２１）の両側に設けられている第１の凸部係合端面（１１２２）と第２の凸部係合端面を備え、
前記第２の凸部（２１１）は、第３の接続端面（２１１１）、及びそれぞれ前記第３の接続端面（２１１１）の両側に設けられている第３の凹部係合端面（２１１２）と第４の凹部係合端面を備え、
前記第２の凹部（２１２）は、第４の接続端面（２１２１）、及びそれぞれ前記第４の接続端面（２１２１）の両側に設けられている第３の凸部係合端面と第４の凸部係合端面を備え、
前記第１の接続端面（１１１１）と前記第３の接続端面（２１１１）とが互いに対向するように配置され、前記第２の接続端面（１１２１）と前記第４の接続端面（２１２１）とが対向するように配置されることを特徴とする請求項１記載の竹・木複合床板の接続構造。
【請求項３】
前記第１の凹部係合端面（１１１２）と前記第１の接続端面（１１１１）と前記第２の凹部係合端面とが順番に繋がって前記第１の凹部（１１１）が形成され、
前記第１の凸部係合端面（１１２２）と前記第２の接続端面（１１２１）と前記第２の凸部係合端面とが順番に繋がって前記第１の凸部（１１２）が形成され、
前記第３の凹部係合端面（２１１２）と前記第３の接続端面（２１１１）と前記第４の凹部係合端面とが順番に繋がって前記第２の凸部（２１１）が形成され、
前記第３の凸部係合端面と前記第４の接続端面（２１２１）と前記第４の凸部係合端面とが順番に繋がって前記第２の凹部（２１２）が形成されていることを特徴とする請求項２記載の竹・木複合床板の接続構造。
【請求項４】
前記第２の凹部係合端面と前記第２の凸部係合端面とが同じ端面を利用し、前記第４の凹部係合端面と前記第３の凸部係合端面とが同じ端面を利用することを特徴とする請求項３記載の竹・木複合床板の接続構造。
【請求項５】
前記第１の凹部（１１１）と前記第２の凹部（２１２）との形状が同じであり、前記第１の凸部（１１２）と前記第２の凸部（２１１）との形状が同じであることを特徴とする請求項１記載の竹・木複合床板の接続構造。
【請求項６】
前記第１の傾き端部（１１）の傾き角が３０〜６０度であり、前記第２の傾き端部（２１）の傾き角が３０〜６０度であることを特徴とする請求項１記載の竹・木複合床板の接続構造。
【請求項７】
前記第１の傾き端部（１１）の傾き角が４５度であり、前記第２の傾き端部（２１）の傾き角が４５度であることを特徴とする請求項１記載の竹・木複合床板の接続構造。
【請求項８】
組立て板であって、第１の竹・木複合床板（１０）と第２の竹・木複合床板（２０）とを含み、第１の竹・木複合床板（１０）と第２の竹・木複合床板（２０）との間が請求項１〜７のいずれか一つの請求項に記載された竹・木複合床板の接続構造によって接続されたことを特徴とする、組立て板。
【考案の詳細な説明】
【技術分野】
【０００１】
本考案は、床板に関し、特に竹・木複合床板の接続構造及び組立て板に関する。
【背景技術】
【０００２】
竹・木複合床板は、竹材と木材を複合して製造されるものであり、住宅、オフィスビル等の場所の床仕上げに用いられている。竹・木複合床板は、その正面板と裏面板が上級な竹材で製造され、芯板が基本的にスギ材、クスノキ材等の木材で製造される。このような竹・木複合床板は、精密な設備と、先端技術と確実な生産工程によって、防腐、防食、防湿、高圧、高温、接着及び表面仕上げ等の約４０の手順からなる複雑な工程を経て、最後に複合床板が出来上がる。
【０００３】
竹・木複合床板のメリットとして、外観が自然で、テクスチャが流暢にみえ、防腐性、防食性、防湿性が高く、靭性も高く、且つ柔軟性を持つこと等が挙げられる。また、このような複合床板の正面硬さは、木質床板によく使われている木材である桜の木、ブナ等に負けない。一方、当該床板の芯板は木材を原料とするため、安定性に優れ、丈夫で耐久性があり、足の感触が良く、風合いが良く、遮音性が高く、且つ冬には暖かくて夏には涼しいという特徴がある。特に住宅やスポーツ場等の室内仕上げ等に適用する。健康の観点から、竹・木複合床板は、都市部の高齢者や幼児等に適しており、また、運動者にも保護クッションとしての機能を備えている。
【０００４】
竹・木複合床板は上記のように数多くのメリットがあるため、生活レベルが向上するにつれて、室内に竹・木複合床板を敷く要望が高まっている。広い場所に敷かれる竹・木複合床板については、複数の竹・木複合床板を互いに接続することが必要になる。しかし、従来の竹・木複合床板同士間の接続は主に接着剤で行われている。この態様では、接続が確実でなく安定せず、接着剤が剥がれやすく、かつ変形し易いという欠点があり、しかも、接着箇所に接着跡が明らかに見えるため、外観が良くない。
【０００５】
上記によって、従来の竹・木複合床板では、複合床板同士間の接続の不安定及び美観性の欠如という技術問題がある。
【考案の概要】
【考案が解決しようとする課題】
【０００６】
本考案はこのような問題点に鑑みてなされたもので、その目的は、竹・木複合床板の接続構造及び組立て板を提供するにある。
【課題を解決するための手段】
【０００７】
本考案の一つの態様が、第１の竹・木複合床板と第２の竹・木複合床板とを互いに接合する竹・木複合床板の接続構造を提供し、当該竹・木複合床板の接続構造は、少なくとも、第１の竹・木複合床板に設けられた第１の傾き端部と、第２の竹・木複合床板に設けられ且つ第１の傾き端部と係合する第２の傾き端部とを含み、前記第１の傾き端部には奥に凹む第１の凹部と外に突出する第１の凸部とが設けられ、前記第２の傾き端部には第１の凹部と係合する第２の凸部及び第１の凸部と係合する第２の凹部が設けられている。
【０００８】
本考案の一つの態様によれば、さらに、第１の凹部は、第１の接続端面、及びそれぞれ第１の接続端面の両側に設けられている第１の凹部係合端面と第２の凹部係合端面を備え、第１の凸部は、第２の接続端面、及びそれぞれ第２の接続端面の両側に設けられている第１の凸部係合端面と第２の凸部係合端面を備え、第２の凸部は、第３の接続端面、及びそれぞれ第３の接続端面の両側に設けられている第３の凹部係合端面と第４の凹部係合端面を備え、第２の凹部は、第４の接続端面、及びそれぞれ第４の接続端面の両側に設けられている第３の凸部係合端面と第４の凸部係合端面を備える。そのうちに、第１の接続端面と第３の接続端面とが互いに対向するように配置され、第２の接続端面と第４の接続端面とが互いに対向するように配置される。
【０００９】
本考案の一つの態様によれば、さらに、第１の凹部係合端面と第１の接続端面と第２の凹部係合端面が順番に繋がって第１の凹部が形成されている。第１の凸部係合端面と第２の接続端面と第２の凸部係合端面が順番に繋がって第１の凸部が形成されている。第３の凹部係合端面と第３の接続端面と第４の凹部係合端面が順番に繋がって第２の凸部が形成されている。第３の凸部係合端面と第４の接続端面と第４の凸部係合端面が順番に繋がって第２の凹部が形成されている。
【００１０】
本考案の一つの態様によれば、さらに、第２の凹部係合端面と第２の凸部係合端面とが同じ端面を利用し、第４の凹部係合端面と第３の凸部係合端面とが同じ端面を利用する。
【００１１】
本考案の一つの態様によれば、さらに、第１の凹部と第２の凹部との形状が同じであり、第１の凸部と第２の凸部との形状が同じである。
【００１２】
本考案の一つの態様によれば、さらに、第１の傾き端部の傾き角が３０〜６０度であり、第２の傾き端部の傾き角が３０〜６０度である。
【００１３】
本考案の一つの態様によれば、さらに、第１の傾き端部の傾き角が４５度であり、第２の傾き端部の傾き角が４５度である。
【００１４】
本考案のもう一つの態様は、組立て板を提供する。当該組立て板は、第１の竹・木複合床板と、第２の竹・木複合床板とを含み、第１の竹・木複合床板と第２の竹・木複合床板との間が上記の竹・木複合床板の接続構造によって接続されている。
【考案の効果】
【００１５】
本考案の竹・木複合床板の接続構造及び組立て板によれば、従来技術に比べ、傾き端部に設けられたダブル係合構造を採用して竹・木複合床板同士間を接合することによって、従来の竹・木複合床板にあった、確実でなく安定できないとともに、接着剤が剥がれやすく、変形し易いという欠点を防止することができる。さらに、竹・木複合床板同士間の接続が簡単になり、接続跡も明らかでなくなり、外観が綺麗になる。本実施例による竹・木複合床板の接続構造は、接続が確実で外観が綺麗になる。
【図面の簡単な説明】
【００１６】
本考案の目的の実現、機能特徴及びメリットについて、実施例を挙げて図面を参照しながら以下にてさらに説明する。
【００１７】
【図１】本考案による竹と木の複合床板の接続構造の一実施例の構造概念図である。
【図２】図１の局部拡大概念図である。
【考案を実施するための形態】
【００１８】
ここに記載される具体的な実施例は、本考案を限定するものでないと解釈されるべきものである。
【００１９】
図１と図２に示されたように、本考案の第１の実施例は、第１の竹と木の複合床板１０と第２の竹と木の複合床板２０とを互いに接合する、竹と木の複合床板の接続構造を提供する。当該竹と木の複合床板の接続構造は少なくとも、第１の竹と木の複合床板１０に設けられた第１の傾き端部１１と、第２の竹と木の複合床板２０に設けられ且つ第１の傾き端部１１と係合する第２の傾き端部２１とを含み、第１の傾き端部１１には奥に凹む第１の凹部１１１と外に突出する第１の凸部１１２とが設けられ、第２の傾き端部２１には第１の凹部１１１と係合する第２の凸部２１１及び第１の凸部１１２と係合する第２の凹部２１２とが設けられている。本実施例において、係合により第１の竹と木の複合床板１０と第２の竹と木の複合床板２０との相互接合が完成でき、且つ係合が簡単で安定性も高い。
【００２０】
本実施例による竹と木の複合床板の接続構造は、従来技術に比べ、傾き端部に設けられたダブル係合構造を採用して竹と木の複合床板同士間を接合するため、従来の竹と木の複合床板にあった、接続が確実でなく安定できないとともに、接着剤が剥離しやすく、変形し易いという欠点を防止することができる。さらに、竹と木の複合床板同士間の接続が簡単となり、接続跡も明らかに見えなくて外観が綺麗になる。本実施例による竹と木の複合床板の接続構造によれば、接続が確実で外観が綺麗になる。
【００２１】
具体的に、図１と図２に示されるように、本実施例による竹と木の複合床板の接続構造において、第１の凹部１１１は、第１の接続端面１１１１、及びそれぞれ第１の接続端面１１１１の両側に設けられた第１の凹部係合端面１１１２と第２の凹部係合端面、を備える。第１の凸部１１２は、第２の接続端面１１２１、及びそれぞれ第２の接続端面１１２１の両側に設けられた第１の凸部係合端面１１２２と第２の凸部係合端面を備える。第２の凸部２１１は、第３の接続端面２１１１、及びそれぞれ第３の接続端面２１１１の両側に設けられた第３の凹部係合端面２１１２と第４の凹部係合端面を備える。第２の凹部２１２は、第４の接続端面２１２１、及びそれぞれ第４の接続端面２１２１の両側に設けられた第３の凸部係合端面と第４の凸部係合端面を備える。うち、第１の接続端面１１１１と第３の接続端面２１１１とが互いに対向するように配置されている。また、第２の接続端面１１２１と第４の接続端面２１２１とが互いに対向するように配置されている。第１の凹部係合端面１１１２と第１の接続端面１１１１と第２の凹部係合端面とが順番に繋がって第１の凹部１１１が形成されている。第１の凸部係合端面１１２２と第２の接続端面１１２１と第２の凸部係合端面とが順番に繋がって第１の凸部１１２が形成されている。第３の凹部係合端面２１１２と、第３の接続端面２１１１と第４の凹部係合端面とが順に繋がって第２の凸部２１１が形成されている。第３の凸部係合端面と第４の接続端面２１２１と第４の凸部係合端面とが順に繋がって第２の凹部２１２が形成されている。第２の凹部係合端面と第２の凸部係合端面とは同じ端面を利用しており、第４の凹部係合端面と第３の凸部係合端面とは同じ端面を利用している。
【００２２】
好ましくは、図１と図２に示されたように、本実施例による竹と木の複合床板の接続構造において、第１の凹部１１１と第２の凹部２１２の形状が同じであり、第１の凸部１１２と第２の凸部２１１の形状が同じである。具体的に、第１の竹と木の複合床板１０の長手方向の一端に、第１の凹部１１１及び第１の凹部１１１と一体に繋がっている第１の凸部１１２が設けられ、第２の竹と木の複合床板２０の接合端部に、第１の凹部１１１と係合できる第２の凸部２１１、及び第１の凸部１１２と係合できる第２の凹部２１２が対応するように設けられることにより、第１の竹と木の複合床板１０と第２の竹と木の複合床板２０とを無間隙で接合することができ、外観が綺麗になる。
【００２３】
好ましくは、図１と図２に示されたように、本実施例による竹と木の複合床板の接続構造において、第１の傾き端部１１の傾き角が３０〜６０度であり、第２の傾き端部２１の傾き角が３０〜６０度である。より好ましくは、第１の傾き端部の傾き角が４５度であり、第２の傾き端部の傾き角が４５度である。本実施例において、第１の竹と木の複合床板１０と第２の竹と木の複合床板２０は、第１の傾き端部１１と第２の傾き端部２１との傾角係合によって、接合が確実で外観が綺麗になる。
【００２４】
本実施例はさらに組立て板を提供する。当該組立て板は第１の竹と木の複合床板１０と第２の竹と木の複合床板２０とを含み、第１の竹と木の複合床板１０と第２の竹と木の複合床板２０とは上記の竹・木複合床板の接続構造によって接続されるが、詳しい説明はここで省略する。
【００２５】
上記実施の形態と実施例は例示であって制限的なものではないと考えられるべきである。本考案の明細書及び添付図面からできる均等となる構造又は均等となるフローへの変更、若しくは関連他技術分野での直接或いは間接的な活用は、何れも本実用新案の保護範囲に含まれるのが当然である。
【符号の説明】
【００２６】
１０  第１の竹と木の複合床板
２０  第２の竹と木の複合床板
１１  第１の傾き端部
２１  第２の傾き端部
１１１  第１の凹部
１１２  第１の凸部
２１１  第２の凸部
２１２  第２の凹部
１１１１  第１の接続端面
１１１２  第１の凹状係合端面
１１２１  第２の接続端面
１１２２  第１の凸状係合端面
２１１１  第３の接続端面
２１１２  第３の凹状係合端面
２１２１  第４の接続端面
【図１】
0003216730.tif 000003
【図２】
0003216730.tif 000004
【手続補正書】
【提出日】平成30年4月11日(2018.4.11)
【手続補正１】
【補正対象書類名】実用新案登録請求の範囲
【補正対象項目名】請求項１
【補正方法】変更
【補正の内容】
【請求項１】
第１の竹・木複合床板（１０）と第２の竹・木複合床板（２０）とが互いに接合された竹・木複合床板の接続構造であって、
少なくとも、前記第１の竹・木複合床板（１０）に設けられた第１の傾き端部（１１）と、前記第２の竹・木複合床板（２０）に設けられ且つ前記第１の傾き端部（１１）と係合する第２の傾き端部（２１）とを含み、
前記第１の傾き端部（１１）には奥に凹む第１の凹部（１１１）と外に突出する第１の凸部（１１２）とが設けられており、前記第２の傾き端部（２１）には前記第１の凹部（１１１）と係合する第２の凸部（２１１）及び前記第１の凸部（１１２）と係合する第２の凹部（２１２）が設けられていることを特徴とする竹・木複合床板の接続構造。